(57)【要約】【課題】、ダイヤル操作盤を解錠位置や施錠位置へ回しても、「常に、識別標識が動かない構造」のダイヤル錠を提案すること。【解決手段】駆動部材の回転力に基づいて回転する複数の回転子から成る回転子部材の各切欠部の位置が対応した場合にロック解除の状態となるダイヤル錠に於いて、駆動部材としてのダイヤル操作盤は中心部に嵌合孔を有し、この嵌合孔に嵌合する、商号、その略称、商標、記号、図形等の識別標識を設けた標章表示板がラッチホルダーを備えた固定部材としての筒状本体部の先端部に固定されているダイヤル錠。【選択図】図３
2015218542.tif 000002
【特許請求の範囲】
【請求項１】
駆動部材の回転力に基づいて回転する複数の回転子から成る回転子部材の各切欠部の位置が対応した場合にロック解除の状態となるダイヤル錠に於いて、前記駆動部材としてのダイヤル操作盤は中心部に嵌合部を有し、この嵌合部に嵌合する、商号、その略称、商標、記号、図形等の識別標識を設けた標章表示板がラッチホルダーを備えた固定部材としての筒状本体部の先端部に固定されているダイヤル錠。
【請求項２】
請求項１に於いて、嵌合部が軸孔に連通する嵌合凹所であり、一方、標章表示板が、前記嵌合凹所に略面一状態に嵌合する円形状標章表示部分と、該円形状標章表示部分の裏面に突設されかつ前記軸孔に挿入される取付け部分とから成り、前記取付け部分は筒状本体部の筒状固定軸部に嵌挿されたダイヤル中心軸の先端部に固定されていることを特徴とするダイヤル錠。
【請求項３】
請求項１に於いて、ダイヤル操作盤の内周には入力歯が形成され、この入力歯には筒状本体部に設けられた原軸を介して原歯車が内接し、この原歯車の出力は、筒状本体部の筒状固定軸部又はダイヤル中心軸のいずれかに回転自在に設けられたダイヤル変更用係合体に伝達されることを特徴とするダイヤル錠。
【請求項４】
請求項３に於いて、原歯車の出力は、遊び歯車を介してダイヤル操作盤の回転方向と同じくなるようにダイヤル変更用係合体に伝達されることを特徴とするダイヤル錠。
【請求項５】
請求項１に於いて、ラッチホルダーに、その基端部が軸支された操作レバーと、該操作レバーの基端部側にその後端部が係合すると共に、ラッチホルダーに軸支されたラッチを超えて延在する先端部が回転子部材に連結された連動接続片とが設けられ、ダイヤル番号の変更時、ラッチホルダーの裏側から操作レバーを操作すると、回転子部材は該操作レバーの操作力により、ラッチ側に位置変位して該回転子部材の多数の被係合部がダイヤル変更用係合体の多数の係合部から離れるダイヤル錠。
【請求項６】
駆動部材の回転力に基づいて回転する複数の回転子から成る回転子部材の各切欠部の位置が対応した場合にロック解除の状態となるダイヤル錠に於いて、前記駆動部材としてのダイヤル操作盤の前面中心部に標章表示板を位置づけ、該標章表示板はダイヤル中心軸を介して固定部材としての筒状本体部の先端部に固定され、商号、その略称、商標、記号、図形等の識別標識を有する標章表示部分は、前記ダイヤル操作盤の前面中心部に添設された状態であるダイヤル錠。
【発明の詳細な説明】
【技術分野】
【０００１】
本発明は、郵便箱やロッカーの扉に取付けられるダイヤル錠に関する。
【背景技術】
【０００２】
特許文献１には、合理的な構成により、新たなる変換番号を任意に設定することができることを目的として、「駆動部材３１は、外壁面にダイヤル番号変換用の印Ｍ１が付されていると共にダイヤル番号変換用の第１係合部３５を有する第１ロータ３２と、前記第１係合部３５と係脱可能な第１被係合部４５を有するダイヤル部材３３とから成り、一方、回転子部材５１は、駆動部材３１の嵌合孔３７、３８、３９に嵌入すると共に、ベース部材に設けられた中心軸４７に回転自在に外嵌合する二物品であり、これらの二物品は、ダイヤル番号変換用の第２係合部５８を有する第２ロータ５２と、外壁面にダイヤル番号変換用の印Ｍ２を有すると共に前記第２係合部５８と係脱可能な第２被係合部５９を有する摘み回転子５３とから成る」ことが記載されている（符号は特許文献１に記載のもの）。この特許文献１は、後述するような問題点がある。また特許文献２には、ダイヤル錠の基本的構成が記載されている。
【０００３】
ところで、特許文献１及び特許文献２のいずれにも、ダイヤル操作盤（回転文字盤）の表面に、商号、その略称、商標、記号、図形等の識別標識を設ける事項が記載されていない。今仮に、ダイヤル操作盤の表面の適宜箇所に識別標識を周方向に配列したダイヤル符号と同様に施すと、該ダイヤル操作盤の回転量に対応して、識別標識が斜めの状態、逆様の状態、横状態から縦状態、縦状態から横状態等の態様になる。そこで、現在、ダイヤル操作盤を解錠位置や施錠位置へ回しても、「常に、識別標識が動かない構造」のダイヤル錠の出現が期待されている。また、新たなる変換番号を任意に設定する際、多数の変換番号を容易に設定することができることも期待されている。
【先行技術文献】
【特許文献】
【０００４】
【特許文献１】特開２００６−２７４６９１号公報
【特許文献２】実公昭５９−２０５３３号公報
【発明の概要】
【発明が解決しようとする課題】
【０００５】
本発明の主たる課題は、ダイヤル操作盤を解錠位置や施錠位置へ回しても、「常に、識別標識が動かない構造」のダイヤル錠を提案することである。本発明の第２の目的は、新たなる変換番号を任意に設定する際、ラッチホルダーの裏側から操作レバーをテコの原理を利用して操作し、該操作レバーに連動する連動接続片を介して回転子部材を駆動部材から容易に引き離すことである。付言すると特許文献１の如く、付勢手段の付勢力を受けずに、新たなる変換番号を容易に設定することである。さらに、極力、構成する部品点数を少なくして、多数の変換番号を設定することができることである。
【課題を解決するための手段】
【０００６】
本発明のダイヤル錠は、駆動部材の回転力に基づいて回転する複数の回転子から成る回転子部材の各切欠部の位置が対応した場合にロック解除の状態となるダイヤル錠に於いて、前記駆動部材としてのダイヤル操作盤は中心部に嵌合部を有し、この嵌合部に嵌合する、商号、その略称、商標、記号、図形等の識別標識を設けた標章表示板がラッチホルダーを備えた固定部材としての筒状本体部の先端部に固定されていることを特徴とする。
【０００７】
上記構成に於いて、嵌合部が軸孔に連通する嵌合凹所であり、一方、標章表示板が、前記嵌合凹所に略面一状態に嵌合する円形状標章表示部分と、該円形状標章表示部分の裏面に突設されかつ前記軸孔に挿入される取付け部分とから成り、前記取付け部分は筒状本体部の筒状固定軸部に嵌挿されたダイヤル中心軸の先端部に固定されていることを特徴とする。また、ダイヤル操作盤の内周には入力歯が形成され、この入力歯には筒状本体部に設けられた原軸を介して原歯車が内接し、この原歯車の出力は、筒状本体部の筒状固定軸部又はダイヤル中心軸のいずれかに回転自在に設けられ、かつ、その軸孔の同心円上に突設された多数の係合部を有するダイヤル変更用係合体に伝達されることを特徴とする。また原歯車の出力は、遊び歯車を介してダイヤル操作盤の回転方向と同じくなるようにダイヤル変更用係合体に伝達されることを特徴とする。さらに、ラッチホルダーに、その基端部が軸支された操作レバーと、該操作レバーの基端部側にその後端部が係合すると共に、ラッチホルダーに軸支されたラッチを超えて延在する先端部が回転子部材に連結された連動接続片とが設けられ、ダイヤル番号の変更時、ラッチホルダーの裏側から操作レバーを操作すると、回転子部材は該操作レバーの操作力により、ラッチ側に位置変位して該回転子部材の多数の被係合部がダイヤル変更用係合体の多数の係合部から離れることを特徴とする。
【０００８】
また本発明のダイヤル錠は、駆動部材の回転力に基づいて回転する複数の回転子から成る回転子部材の各切欠部の位置が対応した場合にロック解除の状態となるダイヤル錠に於いて、前記駆動部材としてのダイヤル操作盤の前面中心部に標章表示板を位置づけ、該標章表示板はダイヤル中心軸を介して固定部材としての筒状本体部の先端部に固定され、商号、その略称、商標、記号、図形等の識別標識を有する標章表示部分は、前記ダイヤル操作盤の前面中心部に添設された状態であることを特徴とする。
【発明の効果】
【０００９】
（ａ）商号、その略称、商標、記号、図形等の識別標識を設けた標章表示板が、固定部材としての筒状本体部の先端部に固定されているので、筒状本体部に回転自在に嵌合するダイヤル操作盤を解錠位置や施錠位置へ回しても、「常に、識別標識が動かない」ので、視覚上の違和感がなく、標章表示板の識別機能を十分に発揮させることができる。
（ｂ）請求項２に記載の発明は、嵌合部が軸孔に連通する嵌合凹所であり、一方、標章表示板が、前記嵌合凹所に略面一状態に嵌合する円形状標章表示部分と、該円形状標章表示部分の裏面に突設されかつ前記軸孔に挿入される取付け部分とから成り、前記取付け部分は筒状本体部の筒状固定軸部に嵌挿されたダイヤル中心軸の先端部に固定されている実施形態の場合には、円形状標章表示部分がダイヤル操作盤の前面から食み出ないので、美観が向上すると共に、ダイヤル操作盤は該標章表示板に面接触状態で支持され、筒状本体部の先端部から外れない。なお、取付け部分に筒状本体部の筒状固定軸部に嵌挿されたダイヤル中心軸の先端部を螺合する実施形態の場合には、簡単に標章表示板を固定部材としての筒状本体部の先端部に固定することができる。
（ｃ）請求項３に記載の発明は、ダイヤル操作盤を回転部材とし、一方、ダイヤル中心軸を固定部材（中心固定軸）として該固定部材に標章表示板を固定しても、この標章表示板に対して自由に回転するダイヤル操作盤を入力手段として構成し、一方、原歯車を出力手段として構成したので、筒状本体部の筒状固定軸部又はダイヤル中心軸のいずれかに回転自在に設けられたダイヤル変更用係合体を回転させることができる。
（ｄ）請求項４に記載の発明は、原歯車の出力がダイヤル操作盤の回転方向と同じくなるように、かつ確実にダイヤル変更用係合体に伝達する。望ましくは、原歯車はダイヤル操作盤の回転量よりも減速する歯（例えば二段式の歯）を用い、該減速する小歯と噛合する左右一対の遊び歯車を介してダイヤル変更用係合体に伝達すると、ダイヤル操作盤の回転量が（例えば４５度回転すると）、ダイヤル変更用係合体に該回転量（例えば４５度の回転量）を減速した状態で、かつ確実に伝達させることができる。
（ｅ）請求項５に記載の発明は、特許文献１のダイヤル錠は、もっぱら室内の窓用クレセントに使用されるものであるから、ダイヤル番号（暗証番号）を変更する場合には、駆動部材としの摘み回転子を手前側にバネ力に抗して引き、引いた状態のままで摘み回転子を所望する数字に合わせるだけで良い。このような構成のダイヤル錠は、例えば建物の共用部分に配設された郵便箱用のダイヤル錠として相応しくない。何故ならば、外部から簡単な操作でダイヤル番号を変更することができるという利便性を有する反面、他人に勝手にダイヤル番号を変更される恐れがあるからである。請求項５に記載の発明は、扉の外側からのダイヤル番号を変更することができず、ダイヤル番号を変更する際には、扉を開いた上で、しかも、筒状本体部の裏側から操作レバーを操作して変更する必要があるので、悪戯によってダイヤル番号が変更されることがない。したがって、例えばマンションの共用部分に配設した郵便箱、スポーツジムのロッカー等に最適である。なお、回転子部材と操作レバーの間には、操作レバーに連動する連動接続片が設けられているので、例えば操作レバーの自由端部を握って筒状本体部の後端収容部に収容されているテコ式の操作レバーを収容位置から筒状本体部の後方へ倒れる方向に該操作レバーを引き出せば良い。したがって、操作レバーの操作が楽であると共に、ダイヤル番号の変更を容易に行うことができる。
【図面の簡単な説明】
【００１０】
図１乃至図１８は本発明の第１実施形態を示す各説明図。図１９及び図２０は、本発明の第２実施形態を示す各説明図。
【図１】ダイヤル操作盤の正面側を見せたダイヤル錠の斜視図。
【図２】操作レバーの背面側を見せたダイヤル錠の斜視図。
【図３】環境部材を含む概略断面説明図（ロック解除の状態）。
【図４】主要部（標章表示板、ダイヤル操作盤、筒状本体部の先端部、中心固定軸）の分解斜視図。
【図５】正面側からダイヤル操作盤の一部を切欠き、原歯車がダイヤル操作盤に内接している状態を示す説明図。
【図６】要部（原歯車）の斜視図。
【図７】歯車列（原歯車、左右一対の遊び歯車、ダイヤル変更用係合体）の説明図。
【図８】ダイヤル変更用係合体の分解斜視図。
【図９】ダイヤル変更用係合体を構成するクラッチ係合体と、第１回転子等の斜視図。
【図１０】回転子部材と、連結具と、連動接続片の先端部を示す分解斜視図
【図１１】要部（回転子部材、付勢手段、連結具と、連動接続片、操作レバー）の概略断面説明図。
【図１２】要部（固定軸と可動軸の位置）の説明図。
【図１３】回転子部材の概略断面説明図。
【図１４】要部（ダイヤル変更用係合体の多数の係合部と回転子の多数の被係合部）の説明図。
【図１５】第２回転子の左側面視からの説明図。
【図１６】要部（ラッチホルダー、軸受け部材、操作レバー、連結具と、連動接続片）の概略断面説明図。
【図１７】ダイヤル番号を変更する際の説明図。
【図１８】クリックバネの説明図。
【図１９】第２実施形態の図３と同様の概略断面説明図（ロック解除の状態）。
【図２０】主要部（標章表示板、ダイヤル操作盤、中心固定軸）の分解斜視図。
【発明を実施するための最良の形態】
【００１１】
（１）基本的な構成部材と特徴部分
本発明のダイヤル錠Ｘは、望ましくは、駆動部材の回転力に基づいて回転する複数の回転子（５、６）から成る回転子部材の各切欠部（４４、４６）の位置が対応した場合にロック解除の状態となるダイヤル錠に於いて、前記駆動部材としてのダイヤル操作盤４は、その正面視の中心部に嵌合部としての嵌合孔或いは嵌合凹所５０を有し、この嵌合部５０に嵌合する、商号、その略称、商標、記号、図形等の識別標識Ｍを設けた標章表示板５１がラッチホルダー２を備えた固定部材としての筒状本体部１の先端部の前面に固定されていることを特徴とする。
【００１２】
上記構成に於いて、標章表示板５１は、円形状標章表示部分５２と、該円形状標章表示部分の裏面にパイプ状或いは短筒状に突設された取付け部分５３とから成り、前記取付け部分５３に筒状本体部１の先端部側の略中心部に連設形成された筒状固定軸部５４の楕円形或いは角孔５５に嵌挿されたダイヤル中心軸（中心固定軸）３の先端部が螺着していることを特徴とする。
【００１３】
また、ダイヤル操作盤４の内周には入力歯（摘み内歯）５６が形成され、この入力歯５６には筒状本体部１の切欠状先端部５７よりも内側（後方）の垂直隔壁５８の上方部位の略中央部に水平方向に設けられた原軸５９を介して原歯車６０が内接し、この原歯車６０の出力は、筒状本体部１の筒状固定軸部５４（実施形態）又はダイヤル中心軸３のいずれかに回転自在に設けられ、かつ、その軸孔の同心円上に突設された多数の係合部３１を有するダイヤル変更用係合体３０に伝達されることを特徴とする。また原歯車６０の出力は、単数又は複数の中間軸６１に回転自在に設けられた単数又は複数の遊び歯車６２を介してダイヤル操作盤４の回転方向と同じくなるようにダイヤル変更用係合体３０に伝達されることを特徴とする。入力部材としてのダイヤル操作盤４とダイヤル変更用係合体３０に対する出力部材としての歯車例の構成に関して、望ましくは、原歯車６０はダイヤル操作盤４の回転量よりも減速する歯（例えば大小の二段式の歯６０ａ、６０ｂ）を用い、該減速する小歯６０ｂと噛合するように、平行な中間軸６１、６１にそれぞれ設けられ、かつ一定の速度比の回転運動を伝える左右一対の遊び歯車６２、６２を介してダイヤル変更用係合体３０に伝達すると、ダイヤル操作盤４の回転量が（例えば４５度回転すると）、ダイヤル変更用係合体３０に該回転量（例えば４５度の回転量）を減速した状態で、かつ確実に伝達する。
【００１４】
さらに、ラッチホルダー２に、その基端部が軸支された操作レバー１６と、該操作レバーの基端部側にその後端部が係合すると共に、ラッチホルダー２に軸支されたラッチ７を超えて延在する先端部が回転子部材（５、６）に連結された連動接続片２１とが設けられ、ダイヤル番号の変更時、ラッチホルダー２の裏側から操作レバー１６を操作すると、回転子部材は該操作レバーの操作力により、ラッチ側に位置変位して該回転子部材の多数の被係合部３２がダイヤル変更用係合体３０の多数の係合部３１から離れることを特徴とする。
【００１５】
なお、第１実施形態では、ダイヤル操作盤４の前面の中心部に嵌合部（嵌合孔或いは嵌合凹所）５０を形成し、該嵌合部５０に円形の標章表示板５１を略面一状に嵌め込んでいるが、前記ダイヤル操作盤４の前面の中心部に軸孔を形成し、一方、円形状標章表示部分５２の裏面中央部にオネジ部又はメネジ部を有する標章表示板５１を前記ダイヤル操作盤４の前面の中心部に添設するように位置付した状態で、前記オネジ部又はメネジ部に、メネジ部又はオネジ部を有するダイヤル中心軸３を螺合しても良い。
【００１６】
しかして、本発明の一実施形態である文字合せ錠Ｘは、ラッチホルダー２を有する筒状本体部１と、該筒状本体部１の先端部側の略中央部に設けられる標章表示板５１用のダイヤル中心軸（ビス）３と、前記筒状本体部１の先端部に外嵌合又は内嵌合して左右方向に回転するダイヤル操作盤４と、このダイヤル操作盤４が回転しても、一緒に回転しないように筒状本体部１の中心固定軸（筒状固定軸部５４やダイヤル中心軸３）に固定的に設けられた前記標章表示板５１と、前記筒状本体部１のラッチホルダー２よりも前方に内装されかつ前記ダイヤル操作盤４の操作力によって、かつ、該ダイヤル操作盤４の内周壁に形成された入力歯５６と噛合する原軸５９を含む歯車列を介して回転するダイヤル変更用係合体３０、及び該ダイヤル変更用係合体３０に係合する少なくとも一つの回転子を有し、施錠又は解錠位置へと回転する回転子部材（５、６）と、前記ラッチホルダー２に軸支されたラッチ７との間に介在するように前記筒状本体部１に内装され、前記回転子５、６が解錠位置の場合には前記ラッチ７が筒状本体部１の後端面側Ａ方向への回転を許容し、一方、前記回転子部材（５、６）の少なくともいずれか一方の回転子が施錠位置の場合には前記ラッチ７の前記後端面側Ａ方向への回転を阻止するロック部材８を備えている。
【００１７】
実施形態では、筒状本体部１の略半分に相当する後端部の上下及び後方が切欠され、後方切欠部９（図３、図１５参照）を介して該筒状本体部１にラッチホルダー２が組み込まれている。ラッチホルダー２は、例えば図３で示すように、その内部にラッチ部材（ラッチ、ラッチバネ）を収容するラッチ部材収容部１０が設けられている。
【００１８】
前記ラッチ部材収容部１０には長板状のラッチ７が縦方向に配設され、かつラッチ軸１２を介してラッチホルダー２に軸支されていると共に、ラッチ用付勢手段１３の付勢力により、筒状本体部１の後端面側Ａから該筒状本体部の周側面側Ｂへ常時付勢されている。また前記ラッチホルダー２の後壁側に形成された後端収容部１１内に完全に収容された状態で該ラッチホルダー２の後壁２ｂに軸受け部材１４が固着具１５を介して固定され、前記軸受け部材１４を跨ぐように操作レバー１６が配設されている。
【００１９】
さらに、文字合せ錠Ｘは、操作レバー１６の基端部側にその後端部が係合すると共に、ラッチホルダー２に軸支されたラッチ７を超えて延在する先端部が回転子部材を構成する第２回転子（後方側の回転子）に一体的に連結された連動接続片２１を備え、回転子部材（例えば第２回転子）の中心孔に嵌合する連結具２６に接続自在に係合する。
【００２０】
本願発明の従たる課題は、「ラッチホルダー２の裏側から操作レバー１６をテコの原理を利用して操作し、該操作レバー１６に連動する連動接続片２１を介して複数の回転子５、６で構成されている回転子部材を駆動部材から容易に引き離すこと」である。
そこで、前記駆動部材は、前述したダイヤル操作盤４と、該ダイヤル操作盤の裏側にダイヤル中心軸（中心固定軸）３を介して回転自在に設けられ、かつ該ダイヤル中心軸３（その軸孔）の同心円上に突設された多数の係合部３１を有するダイヤル変更用係合体３０とから成る。
【００２１】
これに対して、回転子部材は、少なくとも一つの回転子（実施形態では第１回転子５）の前面に前記ダイヤル変更用係合体３０の多数の係合部３１と係合する多数の被係合部３２を有している。
【００２２】
したがって、ダイヤル番号の変更時、図１６で示すように、ラッチホルダー２の裏側から操作レバー１６を後方へ引き倒すと、回転子部材（第１回転子５と該第１回転子に回動可能に結合する第２回転子６）は、該操作レバー１６の操作力により、ラッチ７側（後方）に位置変位して該回転子部材の多数の被係合部３２が前記駆動部材の多数の係合部３１から離れ、その離れた状態でダイヤル操作盤４を所望の方向へ回してダイヤル番号を変更することができる。
【００２３】
さらに、操作レバー１６は、ラッチホルダー２の後端面に固定された軸受け部材１４を跨ぐように配設された門型形状であり、その自由端部には、ラッチホルダー２の一側壁（例えば上壁部分）２ａの内面に形成した不番の係止部分と係脱する係合部分１９が形成されている。
【００２４】
加えて、前記ダイヤル変更用係合体３０の外周面は、ダイヤル操作盤の表面に設けた、少なくとも１２個の符号Ｆ（望ましくは１２乃至１４）に対応する１２角形に形成され、相対する辺が一対のクリックバネ３５に弾圧されている。したがって、以下、本発明の特徴点（特定事項）に関係しない事項は極力図面を省略し、また詳細な説明の中で、特に符号を付する必要がない部分や細部的事項の説明は割愛する。
【００２５】
（２）本発明の構成部材と環境部材
図１はダイヤル操作盤４の正面側を見せたダイヤル錠の斜視図で、図面上、手前側に円形の標章表示部分５２を有する標章表示板５１と、該標章表示板５１に外嵌合するキャップ状のダイヤル操作盤４が現れている。前記円形の標章表示部分５２とキャップ状ダイヤル操作盤４の環状表面部分（垂直文字盤部分：回転文字盤の前面）４ａは、略面一である。キャップ状のダイヤル操作盤４は摘み部材に相当するもので、前記環状表面部分４ａには、回転方向に数字等の符号Ｆが付されている。一方、前記円形の標章表示部分５２の上方部位の中央部には不番の指標（例えば矢印）が付されていると共に、該指標の下方に相当する適宜部位には、商号、その略称、商標、記号、図形等の識別標識Ｍが付されている。ダイヤル操作盤４は左右に回転自在であるのに対して、標章表示板５１は筒状本体部１の先端部に中心固定軸３を介して固定的に設けられている。したがって、ダイヤル操作盤４を回転しても、標章表示板５１は回転せず、識別標識Ｍはそのままである。
【００２６】
図２は操作レバー１６の背面側を見せたダイヤル錠Ｘの斜視図で、ラッチホルダー２に軸支されたラッチ７の突出端部、ラッチホルダー２の後端面に固定した軸受け部材１４、操作レバー１６等が現れている。前記操作レバー１６はダイヤル番号を変更する際に使用されるもので、例えば郵便箱の扉を開いた上で、しかも、筒状本体部１の裏側から引き倒し、その状態で新ダイヤル番号の設定が行われる。軸受け部材１４、操作レバー１６等のダイヤル番号変換用の構成部材は、発明の課題如何によっては、独立請求項の特定要件となり得るものである。
【００２７】
図３は、環境部材を含む概略断面説明図（ロック解除の状態）で、図面上、右側に標章表示板５１、ダイヤル操作盤４、筒状本体部１の先端部、中心固定軸（筒状固定軸部５４やダイヤル中心軸３）が現れている。図４は、主要部としての、標章表示板５１、ダイヤル操作盤４、筒状本体部１の先端部、中心固定軸（５４、３）等の分解斜視図である。
ここで、図４を参照にして本発明の主要部を説明すると、駆動部材としてのダイヤル操作盤４は、その正面視の中心部に嵌合孔５０を有し、この嵌合孔５０に嵌合する、商号、その略称、商標、記号、図形等の識別標識Ｍを設けた標章表示板５１がラッチホルダー２を備えた固定部材としての筒状本体部１の先端部の前面に固定される。
【００２８】
しかして、実施形態では、前記標章表示板５１は、円形状標章表示部分５２と、該円形状標章表示部分の裏面にパイプ状或いは短筒状に突設された外周角型の取付け部分５３とから成り、前記取付け部分５３に筒状本体部１の先端部側の略中心部に連設形成された筒状固定軸部５４の角孔５５に嵌挿されたダイヤル中心軸（中心固定軸）３の先端部が螺着する。
【００２９】
図５は、正面側からダイヤル操作盤の一部を切欠き、原歯車がダイヤル操作盤の入力歯（内歯）に内接している状態を示す説明図である。前述したように、ダイヤル操作盤４の内周には入力歯５６が形成され、この入力歯５６には筒状本体部１の略上方半分を切欠いた切欠状先端部５７よりも内側（後方）の垂直隔壁５８の上方部位の略中央部に水平方向に設けられた原軸５９を介して原歯車６０が内接している。
【００３０】
そして、この原歯車６０の出力は、筒状本体部１の筒状固定軸部５４（実施形態）又はダイヤル中心軸３のいずれかに回転自在に設けられ、かつ、その軸孔の同心円上に突設された多数の係合部３１を有するダイヤル変更用係合体３０に伝達される。実施形態では、原歯車６０はダイヤル操作盤４の回転量よりも減速する歯（例えば大小の二段式の歯６０ａ、６０ｂ）を用い、該減速する小歯６０ｂと噛合するように、平行な中間軸６１、６１にそれぞれ設けられ、かつ一定の速度比の回転運動を伝える左右一対の遊び歯車６２、６２を介してダイヤル変更用係合体３０に伝達される。
【００３１】
図６は、減速歯車としての原歯車６０が、ダイヤル操作盤４の内周の入力歯（内歯）５６に噛合する大歯６０ａと、該大歯の裏面の中央部に設けられた小歯６０ｂとから成ることを示す。また図７は、前記原歯車６０の小歯６０ｂが平行な中間軸６１、６１にそれぞれ設けられた左右一対の遊び歯車６２、６２に同時に噛合し、前記遊び歯車６２の回転は、従軸としての筒状固定軸部５４（実施形態）に設けられたダイヤル変更用係合体３０に減速した状態で、かつ確実に伝達される旨を示す。したがって、図７を参照にすると、今仮にダイヤル操作盤４を反時計方向に回すと、原歯車６０も該ダイヤル操作盤４と同方向に回る。一方、左右の遊び歯車６２、６２に同時に一定の速度比で時計方向へ回転し、ダイヤル変更用係合体３０はダイヤル操作盤４と同じ反時計方向へと回転する。
【００３２】
図８はダイヤル変更用係合体等の分解斜視図である。ダイヤル変更用係合体３０は、一物品でも良いが、実施形態では、ポリゴン歯車体３０Ａと、該ポリゴン歯車体３０Ａに一体的に結合するクラッチ係合体３０Ｂの、「二物品」で構成されている。
【００３３】
すなわち、符号３０Ａはポリゴン歯車体で、該ポリゴン歯車体３０Ａは、歯車部分３０ａと、外周が多角形（例えば１２角形）に形成されたポリゴン部分３０ｂと、クラッチ係合体３０Ｂに対する複数の係合部分３０ｃと、回転子用嵌合部分３０ｄと、中心部に筒状固定軸部５４用の軸孔３０ｅを有する。
【００３４】
図９はダイヤル変更用係合体３０を構成するクラッチ係合体３０Ｂと、第１回転子５等の斜視図である。クラッチ係合体３０Ｂは、ダイヤル中心軸３（その軸孔）の同心円上に突設された多数の係合部（例えば係合突起と係合溝）３１を有する。前記多数の係合部３１は、垂直文字盤部分４ａに設けられ文字数に対応して、少なくとも１２個存在する。また裏側の中央部には、ダイヤル中心軸３が貫通する短筒状嵌合部３６が突設されている。またクラッチ係合体３０Ｂの外周面は、ダイヤル操作盤４の表面に設けた、少なくとも１２の文字数に対応する１２角形に形成されている。そして、実施形態では、クラッチ係合体３０Ｂの多角形の外周面及び前述したポリゴン歯車体３０Ａのポリゴン部分３０ｂの多角形の外周面には、中央部に長孔を有する矩形板状の対のクリックバネ３５が、相対する辺に常時弾圧している。
【００３５】
ところで、図３には、環境部材として、固定側部材７０（例えば郵便箱、ロッカー）と、該固定側部材７０の内壁面に突出するように固定された受け片７１と、固定側部材７０に開閉可能に設けられた扉７２と、該扉７２に文字合せ錠Ｘを固定するための固定具（例えば螺合体）７３が描かれている。これらの環境部材７１、７２、７３は、本発明の特定事項ではない。
【００３６】
（３）筒状本体部１
まず、筒状本体部１は、例えば硬質の合成樹脂で形成され、図３で示すように扉７２の不番嵌合孔に文字合せ錠Ｘを取付けた場合には、扉７２の外壁面から突出する部分は環状のフランジ部分１ａとなっている。前記フランジ部分１ａに連設する略円筒状部１ｂの先端部側には、固定具（例えばナット、スナップリング）７３が螺合或いは嵌め込まれる不番オネジ等が形成されている。前述したように、筒状本体部１の略半分に相当する後端部の上下及び後方が切欠され、後方切欠部９を介して該筒状本体部１にラッチホルダー２が組み込まれている。
【００３７】
（４）ラッチホルダー２
ラッチホルダー２の外観構成は、図１６の実線で示すとおりであり、また縦断面における構成は図３で示すとおりである。これらの図から明らかなように、ラッチホルダー２は筒状本体部１の略中央部から後端部に亘って該筒状本体部１に一体的に組み込まれる。
しかして、１０はラッチ部材収容部で、該ラッチ部材収容部１０には、ラッチ７、ラッチ用付勢手段１３が設けられている。前記ラッチ７はラッチ軸１２を介してラッチホルダー２に軸支されていると共に、ラッチ用付勢手段１３により、前述した固定側部材７０の受け片７１の前方の傾斜状係止片に係合する方向に付勢されている。付言すると、ラッチ７は筒状本体部１の後端面側Ａから該筒状本体部の周側面側Ｂへ常時付勢されている。またラッチホルダー２の後端部寄りの内壁には、付勢手段１３用の不番の短筒状バネ端支持部が突出形成され、該短筒状バネ端支持部には、例えば付勢手段１３の一例としての一つの圧縮コイルバネの一端部が支持されている。またラッチホルダー２の適宜箇所には、ラッチ７の回転範囲を規制する不番の回り止め部分が突出形成されている。
【００３８】
（５）後端収容部１１、軸受け部材１４、操作レバー１６
後端収容部１１は、ラッチホルダー２の突出状上壁２ａと筒状本体部１の後端部の左右の側壁１ｃ、１ｃとで囲まれた空間部分である。実施形態では、該後端収容部１１に固定部材としての軸受け部材１４と、可動部材としての操作レバー１６が設けられている。前記軸受け部材１４は、逆Ｕ字形状部分（或いは逆Ｖ字形状部分）１４ａ及び該逆Ｕ字形状部分の上端部から左右方向に突出する一対の取付け部分１４ｂを有し、後端収容部１１内に完全に収容された状態でラッチホルダー２の後壁２ｂに固着具１５を介して固定されている。また前記操作レバー１６は略門型形状に形成され、軸受け部材１４を跨ぐように後端収容部１１内に完全に収容された状態で配設されている。
【００３９】
しかして、該操作レバー１６は、例えば図１６で示すように、その対向する基端部の内側に左右一対の固定軸１７を介して軸受け部材１４の下端部の軸孔１４ｃに取付けられ、また該固定軸１７よりも上方の部位の外側に左右一対の可動軸１８が水平方向に設けられている。さらに、実施形態では、その自由端部には、ラッチホルダー２の突出状の上壁部分２ａの内面に形成した係止部分と係脱する突片状の係合部分１９が形成されている。
【００４０】
（６）接続手段
実施形態の接続手段は、連動接続片２１と連結具２６とから成る。例えば図１１で示すように、連動接続片２１は、操作レバー１６の基端部側にその後端部が左右一対の可動軸１８を介して係合すると共に、ラッチホルダー２に軸支されたラッチ７を超えて延在する先端部が、係止鍔部分２６ａを有する連結具２６を介して、第２回転子（後方側の回転子）６を一体的に連結する。
【００４１】
しかして、該連動接続片２１は、操作レバー１６に設けた左右の可動軸１８と係合する係合長孔２２を有する垂直方向係合部分２３と、該垂直方向係合部分から水平方向に延在する左右一対のアーム部分２４と、該アーム部分の先端部に連設する連結部分の略中央部に立ち上がり状に設けられた突片状接続部分２５を有し、前記接続部分２５が回転子部材（例えば第２回転子）の中心孔に嵌合する連結具２６の係止鍔部分２６ａ、周溝２６ｂ等に接続自在に係合する。なお、前記突片状接続部分２５には不番のＵ字形状の溝が形成されている。また前記連結具２６は前後の端部に係止鍔部分２６ａ、２６ａが設けられている。なお、連動接続片２１は、他の部材との組み合わせの容易性を図るために、例えば略横倒しＵ字形状に形成されている。
【００４２】
（７）駆動部材／ダイヤル操作盤４
駆動部材は摘み部材に相当するもので、実施形態では、ダイヤル操作盤４と、標章表示板５１は別体である。ダイヤル操作盤４は、操作力を出力部材に伝える入力部材であり、そのためにキャップ状のダイヤル操作盤４の内周面にきめ細かな内歯５６を形成し、該内歯５６に内接する二段式の減速歯車（原歯車）５９及び遊び歯車６２を含む歯車列を介してダイヤル変更用係合体３０に操作力を出力する。
【００４３】
しかして、前記ダイヤル操作盤４は、例えば図３を基準にすると、断面コ字形状に形成され、数字や記号等の符号（実施形態では、少なくとも１２文字）が設けられ、かつ略中心部に標章表示板５１用の嵌合孔（軸孔も含む）５０が形成された環状の垂直文字盤部分４ａと、該垂直文字盤部分の外周端部に突壁状に周設された環状部分４ｂとから成り、前記突壁状環状部分４ｂは固定部材１のフランジ部分１ａに外嵌合している。
【００４４】
（８）回転子部材／複数個の回転子５、６
回転子部材は、少なくとも２枚以上の回転子を有する。そして、少なくとも一つの回転子は、駆動部材のダイヤル変更用係合体３０（実施形態では、クラッチ係合体３０Ｂ）の多数の係合部３１と係合する多数の被係合部（例えば係合溝と係合突起）３２を有する。例えば図１０を参照にすると、図面左側にダイヤル変更用係合体３０を構成するラッチ係合体３０Ｂと係合する第１回転子５が存在し、この第１回転子５と対向するように図面右側に第２回転子６が存在する。両回転子５，６は、第１回転子５の環状部の内周面に周設された係合溝或いは係合突起（実施形態）４１と、該係合溝或いは係合突起４１に係合するように第２回転子６の嵌入部の外周面に周設された係合突起或いは係合溝（実施形態）４２とにより一体的に係合可能である。
【００４５】
また回転子５、６の構造・機能は当業者に自明事項なので、簡単に説明するが、第１回転子５のフランジ板部分の適宜部位には、ツク４３とロック解消用の切欠部４４が設けられ、一方、第２回転子６のフランジ板部分の適宜部位にも、同様にツク４５とロック解消用の切欠部４６が設けられている。そして、両回転子５，６の前記解錠用切欠部４４、４６が揃った場合には、後述するロック部材８のロック片８ａがロックバネ８ｂのバネ力に抗して後退動可能である。
【００４６】
付言すると、実施形態の文字合せ錠Ｘの解錠は、周知の文字合せ錠と同様に、「摘み（ダイヤル操作盤４）を一方向に回転させることにより、一方の回転板（例えば第２回転子６）を一つの暗証番号の位置へと回転させて、該一方の回転板の解錠溝（例えば切欠部分４６）を解錠位置に合わせ、次に前記摘みを逆転させて、第１回転子５の解錠溝（例えば切欠部分４４）を解錠位置に合わせ、両解錠用切欠部分４６、４４を一致させることにより、ラッチ７がラッチ軸１２を中心に回動できるようになり、該ラッチ７を一つの付勢手段１３の付勢力に抗して筒状本体部１内に必要な位置まで没入させることにより、扉７２を開くことができる。
【００４７】
（９）ダイヤル番号の変更
ダイヤル番号の変更時、図２で示すように、ラッチホルダー２の裏側から操作レバー１６を後方へ引き倒すと、回転子部材（第１回転子５と該第１回転子に回動可能に結合する第２回転子６）は、該操作レバー１６の操作力により、ラッチ７側（後方）に位置変位して該回転子部材の多数の被係合部３２が前記駆動部材の多数の係合部３１から離れ、図１１で示すように、その離れた状態でダイヤル操作盤４を所望の方向へ回してダイヤル番号を変更することができる。
【００４８】
（１０）ロック部材８
ロック部材８は、ラッチ７の内端部の前方縁部分に形成したやや弧状部分に当接するブロック形態のロック片８ａと、該ロック片８ａを付勢するロックバネ８ｂとから構成されている。付言すると、図１で示すように、ロック部材８は、筒状本体部１のフランジ部分１ａの内面側に軸方向に配設され、かつ前後方向に摺動可能に設けられロック片８ａと、該ロック片８ａの内端部に常時押圧するロックバネ（例えば圧縮バネ）８ｂとから成る。なお、特に図示しないが、ラッチ７は、メインラッチと、該メインラッチと共に作動するサブラッチから成るものでも良い。
【００４９】
（１１）ラッチ７の作用・効果
ラッチ７の作用を簡単に説明する。実施形態では、扉７２を開く際に筒状本体部１が該扉７２と共に開く方向へ移動する。筒状本体部１が該扉７２と共に開く方向へ移動すると、ラッチ７の下端部（突出外端部）が筒状本体部１の周側壁から常に食み出しているので、受け片７１の前方の略Ｌ字形状突壁部分の縁部に略垂直係合面が当たり、これにより、該ラッチ７は、付勢手段１３の付勢力に抗して回転し、やがて、その下端部（突出外端部）は受け片７１から外れる。
【００５０】
（１２）本発明の第２実施形態
図１９及び図２０は、本発明の第２実施形態を示す各説明図である。この第２実施形態が前記第１実施形態と主に異なる点は、駆動部材の回転力に基づいて回転する複数の回転子から成る回転子部材の各切欠部の位置が対応した場合にロック解除の状態となるダイヤル錠に於いて、前記駆動部材としてのダイヤル操作盤の前面中心部に標章表示板を位置づけ、該標章表示板はダイヤル中心軸を介して固定部材としての筒状本体部の先端部に固定され、商号、その略称、商標、記号、図形等の識別標識を有する標章表示部分は、前記ダイヤル操作盤の前面中心部に添設された状態である。
【００５１】
すなわち、第１実施形態では、ダイヤル操作盤４の前面中心部に嵌合部（嵌合孔或いは嵌合凹所）５０を形成し、該嵌合部５０に円形状標章表示部分５２を略面一状に嵌め込んでいるが、この第２実施形態では、ダイヤル操作盤４Ａの前面中心部に軸孔５０Ａを形成し、一方、多角形或いは円形状標章表示部分５２の裏面中央部にオネジ部又はメネジ部を有する取付け部分５３を設け、前記取付け部分５３を前記軸孔５０Ａに嵌め込み、該取付け部分５３にダイヤル中心軸３のオネジ部又はメネジ部に螺着させることにより、標章表示板５１Ａの前記多角形或いは円形状標章表示部分５２がダイヤル操作盤４Ａの前面に位置するように標章表示板５１Ａを筒状本体部の先端部に固定している。このように構成しても、第１実施形態と同様の作用・効果を得ることができる。なお、第２実施形態の標章表示板５１Ａの標章表示部分５２の形状は、多角形或いは円形状のいずれでも良い。
【産業上の利用可能性】
【００５２】
本発明は、建物の共用部分に設置される郵便箱やロッカーに使用可能な文字合せ錠（ダイヤル錠）である。
【符号の説明】
【００５３】
Ｘ…ダイヤル錠、
１…筒状本体部、Ａ…筒状本体部の後端面側、
２…ラッチホルダー、
３…ダイヤル中心軸、
４、４Ａ…ダイヤル操作盤、
５、６……複数個の回転子（回転子部材）、
７…ラッチ、
８…ロック部材、８ａ…ロック片、
９…筒状本体部の後方切欠部、
１０…ラッチ部材収容部、
１１…後端部収容部、
１２…ラッチ軸、
１３…ラッチ用付勢手段、
１４…軸受け部材、１５…固着具、
１６…操作レバー、
１７…固定軸、１８…可動軸、
１９…係合部分、
２１…連動接続片、
２３…垂直方向係合部分、
２４…アーム部分、
２５…接続部分、
２６…連結具、
３０…ダイヤル変更用係合体、
３０Ａ…ポリゴン歯車体、
３０Ｂ…クラッチ係合体、
３１…多数の係合部、
３２…多数の被係合部、
３５…クリックバネ、
５０…嵌合孔、５０Ａ…軸孔、
５１、５１Ａ…標章表示板、Ｍ…識別標識、
５２…円形状標章表示部分、５３…取付け部分、
５４…中心固定軸（例えば筒状固定軸部やダイヤル中心軸）、
５５…角孔、
５７…切欠状先端部、５８…垂直隔壁、
６０…原歯車、６２…遊び歯車、
７１…受け片。
【図１】
2015218542.tif 000003
【図２】
2015218542.tif 000004
【図３】
2015218542.tif 000005
【図４】
2015218542.tif 000006
【図５】
2015218542.tif 000007
【図６】
2015218542.tif 000008
【図７】
2015218542.tif 000009
【図８】
2015218542.tif 000010
【図９】
2015218542.tif 000011
【図１０】
2015218542.tif 000012
【図１１】
2015218542.tif 000013
【図１２】
2015218542.tif 000014
【図１３】
2015218542.tif 000015
【図１４】
2015218542.tif 000016
【図１５】
2015218542.tif 000017
【図１６】
2015218542.tif 000018
【図１７】
2015218542.tif 000019
【図１８】
2015218542.tif 000020
【図１９】
2015218542.tif 000021
【図２０】
2015218542.tif 000022